(57)【要約】【課題】ダウンロードしたＷＥＢページ・データに秘匿性があるか否かを判断することである。また、秘匿性があると判断されるＷＥＢページを液晶画面に表示するときに、液晶画面の視野角を自動的に狭くすることである。【解決手段】以下ステップをコンピュータに実行させるためのＷＥＢページ閲覧プログラムによって解決する。ＷＥＢページ・データをダウンロードするステップ。前記ＷＥＢページ・データが秘匿性を有するか否かを判断するステップ。前記秘匿性を有すると判断された場合に、ＷＥＢページを表示する液晶画面の視野角を狭くすることを指示する視野角狭小化指令を発行するステップ。前記ＷＥＢページ・データを前記液晶画面に表示することを指示するＷＥＢページ・データ表示指令を発行するステップ。【選択図】図１
2009020301.tif 000002
【特許請求の範囲】
【請求項１】
ＷＥＢページ・データをダウンロードするステップと、
前記ＷＥＢページ・データが秘匿性を有するか否かを判断するステップと、
前記秘匿性を有すると判断された場合に、ＷＥＢページを表示する液晶画面の視野角を狭くすることを指示する視野角狭小化指令を発行するステップと、
前記ＷＥＢページ・データを前記液晶画面に表示することを指示するＷＥＢページ・データ表示指令を発行するステップとをコンピュータに実行させるための
ＷＥＢページ閲覧プログラム。
【請求項２】
前記秘匿性を有するか否かを判断するステップは、
前記ＷＥＢページ・データに埋め込まれている秘匿性タグを検索するステップと、
前記秘匿性タグの検索結果に基づいて、秘匿性の有無を判断するステップとを有する
請求項１記載のＷＥＢページ閲覧プログラム。
【請求項３】
前記秘匿性を有するか否かを判断するステップは、
前記秘匿性タグが検索された場合に、前記秘匿性タグが有する秘匿性属性を参照するステップと、
前記秘匿性属性の値が真であるか否かを確認するステップと、
前記値に基づいて、秘匿性の有無を判断するステップとを有する
請求項２記載のＷＥＢページ閲覧プログラム。
【請求項４】
前記ダウンロードするステップに先立って、秘匿性キーワードを格納するステップを更に有し、
前記秘匿性を有するか否かを判断するステップは、
前記秘匿性タグを検索できなかった場合に、前記秘匿性キーワードを用いて、前記ＷＥＢページ・データを検索するステップと、
前記秘匿性キーワードを用いた検索結果に基づいて、秘匿性の有無を判断するステップとを有する
請求項２又は３記載のＷＥＢページ閲覧プログラム。
【請求項５】
前記ダウンロードするステップに先立って、秘匿性検索条件式を格納するステップを更に有し、
前記秘匿性を有するか否かを判断するステップは、
前記秘匿性タグを検索できなかった場合に、前記秘匿性検索条件式を用いて、前記ＷＥＢページ・データを検索するステップと、
前記秘匿性検索条件式を用いた検索結果に基づいて、秘匿性の有無を判断するステップとを有する
請求項２〜４いずれか１項に記載のＷＥＢページ閲覧プログラム。
【請求項６】
前記ダウンロードするステップに先立って、秘匿性キーワードを格納するステップを更に有し、
前記秘匿性を有するか否かを判断するステップは、
前記秘匿性キーワードを用いて、前記ＷＥＢページ・データを検索するステップと、
前記秘匿性キーワードを用いた検索結果に基づいて、秘匿性の有無を判断するステップとを有する
請求項１〜３いずれか１項に記載のＷＥＢページ閲覧プログラム。
【請求項７】
前記ダウンロードするステップに先立って、秘匿性検索条件式を格納するステップを更に有し、
前記秘匿性を有するか否かを判断するステップは、
前記秘匿性検索条件式を用いて、前記ＷＥＢページ・データを検索するステップと、
前記秘匿性検索条件式を用いた検索結果に基づいて、秘匿性の有無を判断するステップとを有する
請求項１〜３及び６いずれか１項に記載のＷＥＢページ閲覧プログラム。
【請求項８】
ＷＥＢページ・データをダウンロードし、
前記ＷＥＢページ・データが秘匿性を有するか否かを判断し、
前記秘匿性を有すると判断された場合に、ＷＥＢページを表示する液晶画面の視野角を狭くすることを指示する視野角狭小化指令を発行し、
前記ＷＥＢページ・データを前記液晶画面に表示することを指示するＷＥＢページ・データ表示指令を発行することをＷＥＢページ閲覧プログラムの実行により行って、ＷＥＢページを表示する
ＷＥＢページ表示方法。
【請求項９】
前記秘匿性を有するか否かを判断するときには、
前記ＷＥＢページ・データに埋め込まれている秘匿性タグを検索し、
前記秘匿性タグの検索結果に基づいて、秘匿性の有無を判断する
請求項８記載のＷＥＢページ表示方法。
【請求項１０】
前記秘匿性を有するか否かを判断するときには、
前記秘匿性タグが検索された場合に、前記秘匿性タグが有する秘匿性属性を参照し、
前記秘匿性属性の値が真であるか否かを確認し、
前記値に基づいて、秘匿性の有無を判断する
請求項９記載のＷＥＢページ表示方法。
【請求項１１】
前記ダウンロードするのに先立って、秘匿性キーワードを格納し、
前記秘匿性を有するか否かを判断するときには、
前記秘匿性タグを検索できなかった場合に、前記秘匿性キーワードを用いて、前記ＷＥＢページ・データを検索し、
前記秘匿性キーワードを用いた検索結果に基づいて、秘匿性の有無を判断する
請求項９又は１０記載のＷＥＢページ表示方法。
【請求項１２】
前記ダウンロードするのに先立って、秘匿性検索条件式を格納し、
前記秘匿性を有するか否かを判断するときには、
前記秘匿性タグを検索できなかった場合に、前記秘匿性検索条件式を用いて、前記ＷＥＢページ・データを検索し、
前記秘匿性検索条件式を用いた検索結果に基づいて、秘匿性の有無を判断する
請求項９〜１１いずれか１項に記載のＷＥＢページ表示方法。
【請求項１３】
前記ダウンロードするのに先立って、秘匿性キーワードを格納し、
前記秘匿性を有するか否かを判断するときには、
前記秘匿性キーワードを用いて、前記ＷＥＢページ・データを検索し、
前記秘匿性キーワードを用いた検索結果に基づいて、秘匿性の有無を判断する
請求項８〜１０いずれか１項に記載のＷＥＢページ表示方法。
【請求項１４】
前記ダウンロードするのに先立って、秘匿性検索条件式を格納し、
前記秘匿性を有するか否かを判断するときには、
前記秘匿性検索条件式を用いて、前記ＷＥＢページ・データを検索し、
前記秘匿性検索条件式を用いた検索結果に基づいて、秘匿性の有無を判断する
請求項８〜１０及び１３いずれか１項に記載のＷＥＢページ表示方法。
【請求項１５】
ユーザによる操作を受け付ける操作部と、
前記操作によって指定されたＷＥＢページ・データをダウンロードする送受信部と、
前記ＷＥＢページ・データを処理するデータ処理部と、
ＷＥＢページを表示する液晶表示部と、
前記液晶表示部の視野角を制御する視野角制御部とを具備し、
前記データ処理部は、
前記ＷＥＢページ・データが秘匿性を有するか否かを判断する判断部と、
前記判断部によって、前記ＷＥＢページ・データが秘匿性を有すると判断された場合に、前記視野角制御部へ、前記視野角を狭くすることを指示する視野角狭小化指令を発行する視野角狭小化指令発行部とを有する
端末装置。
【請求項１６】
前記判断部は、
前記ＷＥＢページ・データに埋め込まれている秘匿性タグを検索するタグ検索部を有する
請求項１５記載の端末装置。
【請求項１７】
前記判断部は、
前記秘匿性タグが検索された場合に、前記秘匿性タグが有する秘匿性属性を参照する参照部と、
前記秘匿性属性の値が真であるか否かを確認する確認部とを有する
請求項１６記載の端末装置。
【請求項１８】
秘匿性キーワードを格納するキーワード格納部を更に具備し、
前記判断部は、
前記秘匿性タグを検索できなかった場合に、前記秘匿性キーワードを用いて、前記ＷＥＢページ・データを検索するキーワード検索部を有する
請求項１５〜１７いずれか１項に記載の端末装置。
【請求項１９】
秘匿性検索条件式を格納する条件式格納部を更に具備し、
前記判断部は、
前記秘匿性タグを検索できなかった場合に、前記秘匿性検索条件式を用いて、前記ＷＥＢページ・データを検索する条件式検索部を有する
請求項１５〜１８いずれか１項に記載の端末装置。
【請求項２０】
秘匿性キーワードを格納するキーワード格納部を更に具備し、
前記判断部は、
前記秘匿性キーワードを用いて、前記ＷＥＢページ・データを検索するキーワード検索部を有する
請求項１５〜１７いずれか１項に記載の端末装置。
【請求項２１】
秘匿性検索条件式を格納する条件式格納部を更に有し、
前記判断部は、
前記秘匿性検索条件式を用いて、前記ＷＥＢページ・データを検索する条件式検索部を有する
請求項１５〜１７及び２０いずれか１項に記載の端末装置。
【請求項２２】
ＷＥＢページ・データを配信するＷＥＢサーバと、
前記ＷＥＢページ・データをダウンロードするＷＥＢクライアントを具備し、
前記ＷＥＢサーバは、
秘匿性タグを埋め込んだＷＥＢページ・データを配信し、
前記ＷＥＢクライアントは、
ユーザによる操作を受け付ける操作部と、
前記操作によって指定されたＷＥＢページ・データをダウンロードする送受信部と、
前記ＷＥＢページ・データを処理するデータ処理部と、
ＷＥＢページを表示する液晶表示部と、
前記液晶表示部の視野角を制御する視野角制御部とを備え、
前記データ処理部は、
前記ＷＥＢページ・データが秘匿性を有するか否かを判断する判断部と、
前記判断部によって、前記ＷＥＢページ・データが秘匿性を有すると判断された場合に、前記視野角制御部へ、前記視野角を狭くすることを指示する視野角狭小化指令を発行する視野角狭小化指令発行部とを有し、
前記判断部は、
前記ＷＥＢページ・データに埋め込まれている秘匿性タグを検索するタグ検索部を含む
ネットワーク・システム。
【請求項２３】
前記ＷＥＢサーバは、
秘匿性属性を有する秘匿性タグを埋め込んだＷＥＢページ・データを配信し、
前記判断部は、
前記秘匿性タグが検索された場合に、前記秘匿性属性を参照する参照部と、
前記秘匿性属性の値を確認する確認部とを含む
請求項２２記載のネットワーク・システム。
【発明の詳細な説明】
【技術分野】
【０００１】
本発明は、ＷＥＢページ閲覧プログラム、ＷＥＢページ表示方法、端末装置、及び、ネットワーク・システムに関する。
【背景技術】
【０００２】
携帯電話機などの移動通信端末装置のインターネット接続機能を使って、ユーザは、場所を問わず、ＷＥＢページをブラウジングすることが可能になった。インターネット接続機能が強化されて、認証ＩＤやパスワード、ＷＥＢメールやパーソナライズページ等、ユーザ個人に関する情報が、移動通信端末装置の液晶画面に表示される機会が増加した。移動通信端末装置は、場所を問わず利用できる便利さがある反面、ユーザが外出中にＷＥＢページを閲覧する際には、周囲の人に個人情報を見られてしまうという問題があった。
【０００３】
この問題を解決するため、液晶画面の視野角を狭くするフィルターが発売された。このフィルターを液晶画面に貼付することによって、液晶画面に表示される個人情報を周囲の人に見られる問題はある程度解決された。しかし、フィルターの貼付によって、ユーザ自身が液晶画面を見るときにも、視野角が常に狭められてしまうという問題を生じた。
【０００４】
特開２００１−３４４０５０号公報（特許文献１参照）には、視野角の広狭を制御可能な表示部を備えた情報処理装置の発明が記載されている。この情報処理装置は、ユーザを認証するためのデータの入力中は、前記表示部の視野角を狭くするように制御するための制御手段を備えている。特許文献１は、ＩＤ、パスワード入力画面に特化した内容となっている。現在存在する様々な認証方法、例えば、マトリクス認証などに対応することは不可能と考えられる。また、ノート型パソコンに特化した内容となっている。
【０００５】
特開２００４−６２０９４号公報（特許文献２参照）には、携帯端末装置の発明が記載されている。 この携帯端末装置においては、情報表示手段は、情報を表示する。視野角変更手段は、上記情報表示手段の表示面に配設される。視野角制御手段は、上記視野角変更手段の視野角を制御することにより、当該視野角変更手段を透過して視認される上記情報表示手段の視野角を変更する。特許文献２は、視野角制御を手動もしくは、アプリケーションの種類毎に行う。
【０００６】
特開２００６−３１９５５４号公報（特許文献３参照）には、携帯情報端末装置の発明が記載されている。この携帯情報端末装置においては、表示制限情報記憶手段は、画面表示が制限されたシークレットデータであるか否かを示す表示制限情報をユーザデータに対応付けて記憶する。表示モード指定情報記憶手段は、上記表示制限情報によりシークレットデータを表示させない第１表示モード、及び、シークレットデータを表示させる第２表示モードのいずれかを指定する表示モード指定情報を書き換え可能に記憶する。アプリケーション実行手段は、上記表示モード指定情報に基づいて表示対象とするユーザデータを選別し、ユーザデータの画面表示を行う。視野角制御手段は、上記表示モード指定情報に基づいて、表示画面の視野角を狭小化する。
【０００７】
特許文献３は、基本ソフトウェアのファイルシステムに相当するプログラムへの機能追加を行っている。ユーザによる操作入力に基づいて端末内に格納されるユーザデータに対応付けて、携帯情報端末装置内部に表示制限情報を記憶する。この表示制限情報によって、全てのユーザデータを、シークレットデータであるものと無いものとに分類しようとする。なお、特許文献３の段落００６５には、データファイル内部に表示制限情報に相当するデータを埋め込むことが示唆されているが、ウェブサーバーによって提供されるコンテンツの全てに対して、表示制限情報に相当するデータを埋め込むことは非現実的であろう。
【０００８】
【特許文献１】特開２００１−３４４０５０号公報
【特許文献２】特開２００４−６２０９４号公報
【特許文献３】特開２００６−３１９５５４号公報
【発明の開示】
【発明が解決しようとする課題】
【０００９】
本発明の課題は、ダウンロードしたＷＥＢページ・データに秘匿性があるか否かを判断することである。また、本発明の他の課題は、秘匿性があると判断されるＷＥＢページを液晶画面に表示するときに、液晶画面の視野角を自動的に狭くすることである。
【課題を解決するための手段】
【００１０】
本発明の一つのアスペクトによるＷＥＢページ閲覧プログラムは、ダウンロードするステップと、判断するステップと、視野角狭小化指令を発行するステップと、ＷＥＢページ・データ表示指令を発行するステップとをコンピュータに実行させる。ダウンロードするステップは、ＷＥＢページ・データをダウンロードする。判断するステップは、前記ＷＥＢページ・データが秘匿性を有するか否かを判断する。視野角狭小化指令を発行するステップは、前記秘匿性を有すると判断された場合に、ＷＥＢページを表示する液晶画面の視野角を狭くすることを指示する視野角狭小化指令を発行する。ＷＥＢページ・データ表示指令を発行するステップは、前記ＷＥＢページ・データを前記液晶画面に表示することを指示するＷＥＢページ・データ表示指令を発行する。
【００１１】
本発明の別のアスペクトによるＷＥＢページ表示方法は、ＷＥＢページ閲覧プログラムの実行により以下の動作を行って、ＷＥＢページを表示する。ＷＥＢページ・データをダウンロードする。前記ＷＥＢページ・データが秘匿性を有するか否かを判断する。前記秘匿性を有すると判断された場合に、ＷＥＢページを表示する液晶画面の視野角を狭くすることを指示する視野角狭小化指令を発行する。前記ＷＥＢページ・データを前記液晶画面に表示することを指示するＷＥＢページ・データ表示指令を発行する。
【００１２】
本発明の別のアスペクトによる端末装置においては、操作部は、ユーザによる操作を受け付ける。送受信部は、前記操作によって指定されたＷＥＢページ・データをダウンロードする。データ処理部は、前記ＷＥＢページ・データを処理する。液晶表示部は、ＷＥＢページを表示する。視野角制御部は、前記液晶表示部の視野角を制御する。前記データ処理部は、判断部と、視野角狭小化指令発行部とを有する。判断部は、前記ＷＥＢページ・データが秘匿性を有するか否かを判断する。視野角狭小化指令発行部は、前記判断部によって、前記ＷＥＢページ・データが秘匿性を有すると判断された場合に、前記視野角制御部へ、前記視野角を狭くすることを指示する視野角狭小化指令を発行する。
【００１３】
本発明の別のアスペクトによるネットワーク・システムは、ＷＥＢページ・データを配信するＷＥＢサーバと、前記ＷＥＢページ・データをダウンロードするＷＥＢクライアントを具備する。前記ＷＥＢサーバは、秘匿性タグを埋め込んだＷＥＢページ・データを配信する。前記ＷＥＢクライアントは、操作部と、送受信部と、データ処理部と、液晶表示部と、視野角制御部とを備える。操作部は、ユーザによる操作を受け付ける。送受信部は、前記操作によって指定されたＷＥＢページ・データをダウンロードする。データ処理部は、前記ＷＥＢページ・データを処理する。液晶表示部は、ＷＥＢページを表示する。視野角制御部は、前記液晶表示部の視野角を制御する。前記データ処理部は、判断部と、視野角狭小化指令発行部とを有する。判断部は、前記ＷＥＢページ・データが秘匿性を有するか否かを判断する。視野角狭小化指令発行部は、前記判断部によって、前記ＷＥＢページ・データが秘匿性を有すると判断された場合に、前記視野角制御部へ、前記視野角を狭くすることを指示する視野角狭小化指令を発行する。前記判断部は、前記ＷＥＢページ・データに埋め込まれている秘匿性タグを検索するタグ検索部を含む。
【発明の効果】
【００１４】
本発明によれば、ダウンロードしたＷＥＢページ・データに秘匿性があるか否かを判断することができる。また、秘匿性があると判断されるＷＥＢページを液晶画面に表示するときに、液晶画面の視野角を自動的に狭くすることができる。
【発明を実施するための最良の形態】
【００１５】
［実施例１］図１に、本発明によるＷＥＢページ表示方法の実施例を示す。図１における表示方法では、ＷＥＢページ閲覧プログラムの実行により以下の動作を行って、ＷＥＢページを表示する。まず、ＷＥＢページ・データをダウンロードする（Ｓ１０）。次に、ダウンロードしたＷＥＢページ・データが秘匿性を有するか否かを判断する（Ｓ１１）。そして、秘匿性を有すると判断された場合に、当該ＷＥＢページ・データが表示される間、ＷＥＢページを表示する液晶画面の視野角を狭くすることを指示する視野角狭小化指令を発行する（Ｓ１２）。また、前記ＷＥＢページ・データを前記液晶画面に表示することを指示するＷＥＢページ・データ表示指令を発行する（Ｓ１３）。
【００１６】
［実施例２］図２に、本発明による端末装置の実施例を示す。図２における端末装置１０は、液晶表示部１１と、視野角制御部１２と、操作部１３と、データ処理部１４と、送受信部１５とを有している。液晶表示部１１は、ＷＥＢページを表示する。視野角制御部１２は、液晶表示部１１の視野角を制御する。操作部１３は、ユーザによる操作を受け付ける。送受信部１５は、ユーザによる操作によって指定されたＷＥＢページ・データをダウンロードする。データ処理部１４は、ＷＥＢページ・データを処理する。図２におけるデータ処理部１４は、判断部１６と、視野角狭小化指令発行部１７とを有している。判断部１６は、ＷＥＢページ・データが秘匿性を有するか否かを判断する。視野角狭小化指令発行部１７は、判断部１６によってＷＥＢページ・データが秘匿性を有すると判断された場合に、視野角制御部１２へ、視野角を狭くすることを指示する視野角狭小化指令を発行する。
【００１７】
判断部１６は、ＷＥＢページ・データに埋め込まれている秘匿性タグを検索するタグ検索部を有したものとすることができる。さらに、判断部１６は、秘匿性タグが検索された場合に、前記秘匿性タグが有する秘匿性属性を参照する参照部と、秘匿性属性の値が真であるか否かを確認する確認部とを有したものとすることができる。また、端末装置１０は、秘匿性キーワードを格納するキーワード格納部を更に具備したものとすることができ、このとき、判断部１６は、秘匿性タグを検索できなかった場合に、秘匿性キーワードを用いて、ＷＥＢページ・データを検索するキーワード検索部を有したものとすることができる。また、端末装置１０は、秘匿性検索条件式を格納する条件式格納部を更に具備したものとすることができ、このとき、判断部１６は、秘匿性タグを検索できなかった場合に、秘匿性検索条件式を用いて、ＷＥＢページ・データを検索する条件式検索部を有したものとすることができる。また、端末装置１０は、秘匿性キーワードを格納するキーワード格納部を更に具備したものとすることができ、このとき、判断部１６は、秘匿性キーワードを用いて、ＷＥＢページ・データを検索するキーワード検索部を有したものとすることができる。また、端末装置１０は、秘匿性検索条件式を格納する条件式格納部を更に有したものとすることができ、このとき、判断部１６は、秘匿性検索条件式を用いて、ＷＥＢページ・データを検索する条件式検索部を有したものとすることができる。
【００１８】
［実施例３］図３に、本発明によるネットワーク・システムの実施例を示す。図３におけるネットワーク・システムは、ＷＥＢサーバ２０と、ＷＥＢクライアント３０とを具備している。ＷＥＢサーバ２０は、ＷＥＢページ・データ２１を配信する。ＷＥＢクライアント３０は、ＷＥＢページ・データ２１をダウンロードする。図３におけるＷＥＢサーバ２０は、秘匿性タグ２２を埋め込んだＷＥＢページ・データ２１を配信する。図３におけるＷＥＢクライアント３０は、操作部３１と、送受信部３２と、データ処理部３３と、液晶表示部３４と、視野角制御部３５とを備えている。操作部３１は、ユーザによる操作を受け付ける。送受信部３２は、ユーザによる操作によって指定されたＷＥＢページ・データ２１をダウンロードする。データ処理部３３は、ＷＥＢページ・データ２１を処理する。液晶表示部３４は、ＷＥＢページを表示する。視野角制御部３５は、液晶表示部３４の視野角を制御する。図３におけるデータ処理部３３は、判断部３６と、視野角狭小化指令発行部３７とを有している。判断部３６は、ＷＥＢページ・データ２１が秘匿性を有するか否かを判断する。視野角狭小化指令発行部３７は、判断部３６によって、ＷＥＢページ・データ２１が秘匿性を有すると判断された場合に、視野角制御部３５へ、視野角を狭くすることを指示する視野角狭小化指令を発行する。図３における判断部３６は、ＷＥＢページ・データ２１に埋め込まれている秘匿性タグ２２を検索するタグ検索部を含んでいる。
【００１９】
ＷＥＢサーバ２０は、秘匿性属性を有する秘匿性タグを埋め込んだＷＥＢページ・データを配信するものとすることができ、このとき、判断部３６は、秘匿性タグが検索された場合に、秘匿性属性を参照する参照部と、秘匿性属性の値を確認する確認部とを含むものとすることができる。
【００２０】
続いて、携帯電話機に関する種々の実施例について詳述する。以下説明する携帯電話機は、液晶画面の視野角を自動的に調整する機能と、ＷＥＢページを閲覧する機能とを有するものとする。液晶画面の視野角を自動的に調整する機能は、上記特許文献３に記載されているような公知技術によって実現可能である。また、ＷＥＢページを閲覧する機能は、公知のＷＥＢページ閲覧プログラムを携帯電話機に実装することによって実現可能である。下記携帯電話機には、コンピュータが組み込まれ、ＷＥＢページ閲覧プログラムがインストールされる。このＷＥＢページ閲覧プログラムには、公知のブラウジング機能を実現するための種々のステップに加えて、ＷＥＢページ・データが秘匿性を有するか否かを判断するステップ、及び、秘匿性を有すると判断された場合に、ＷＥＢページを表示する液晶画面の視野角を狭くすることを指示する視野角狭小化指令を発行するステップとが追加される。
【００２１】
［実施例４］携帯電話機にインストールされたＷＥＢページ閲覧プログラムは、ＷＥＢページ・データをダウンロードする前に、予め、秘匿性キーワードを携帯電話機のキーワード格納部に格納するステップを実行する。ここでは、ＷＥＢページ閲覧プログラムのインストール時に、デフォルトで与えられた”password”という秘匿性キーワードが格納されるとする。秘匿性キーワードは、ユーザが携帯電話機を操作することによって、追加や削除が可能である。ここでは、ユーザの操作入力によって、”パスワード”という秘匿性キーワードが後から追加されたとする。
【００２２】
図４は、ＷＥＢページ・データの一例を示す図である。最初の行に、  <!DOCTYPE html …>  と記述されているように、このＷＥＢページ・データは、ｈｔｍｌ（Hyper Text Markup Language）ファイルであり、ＢＯＤＹ部には、「ユーザＩＤとパスワードを入力してください。」という文言が含まれている。ここで、ユーザが携帯電話機を操作し、ＵＲＬ（Uniform Resource Locator）を指定することによって、ＷＥＢサーバから、図４に示すようなＷＥＢページ・データがダウンロードされたとする。このとき、携帯電話機のＷＥＢページ閲覧プログラムは、図４のＷＥＢページ・データが秘匿性を有するか否かを判断するステップを実行する。ＷＥＢページ閲覧プログラムは、キーワード格納部に格納された秘匿性キーワードを参照して、図４のＷＥＢページ・データを検索する。その結果、図４のＷＥＢページ・データから、秘匿性キーワードと一致する「パスワード」という文字列が検出される。ＷＥＢページ閲覧プログラムは、図４のＷＥＢページ・データが、秘匿性を有するものであると判断する。秘匿性を有すると判断したＷＥＢページ閲覧プログラムは、携帯電話機の液晶画面の視野角を狭くすることを指示する視野角狭小化指令を発行するステップを実行する。また、ＷＥＢページ閲覧プログラムは、ＷＥＢページ・データを液晶画面に表示することを指示するＷＥＢページ・データ表示指令を発行するステップを実行する。これら指令に応答して、秘匿性を有するものであると判断されたＷＥＢページ・データを液晶画面に表示している間、液晶画面の視野角を自動的に調整する機能が働き、携帯電話機の液晶画面の視野角は狭められる。これにより、図４の秘匿性キーワードを含むｈｔｍｌファイルが狭い視野角で所定の形式で表示される。
【００２３】
［実施例５］携帯電話機にインストールされたＷＥＢページ閲覧プログラムは、ＷＥＢページ・データをダウンロードする前に、予め、秘匿性検索条件式を携帯電話機の条件式格納部に格納するステップを実行する。ここでは、ＷＥＢページ閲覧プログラムのインストール時に、デフォルトで与えられた”password & user”という秘匿性検索条件式が格納されるとする。この検索条件式は、”password”というキーワードを含み、かつ、”user”というキーワードを含むという条件式である。秘匿性検索条件式は、自動的に追加したり削除したりすることが可能である。ここでは、ＷＥＢページ閲覧プログラムが、検索条件式を管理する所定のＷＥＢサーバにアクセスし、ここから秘匿性検索条件式更新プログラムをダウンロードし、そのプログラムを実行することによって、”パスワード & ユーザ”という秘匿性検索条件式が追加されたとする。
【００２４】
ユーザが携帯電話機を操作し、ＵＲＬを指定することによって、ＷＥＢサーバから、図４に示すようなＷＥＢページ・データをダウンロードしたとする。このとき、携帯電話機のＷＥＢページ閲覧プログラムは、図４のＷＥＢページ・データが秘匿性を有するか否かを判断するステップを実行する。ＷＥＢページ閲覧プログラムは、検索条件式格納部に格納された秘匿性検索条件式を参照して、図４のＷＥＢページ・データを検索する。その結果、図４のＷＥＢページ・データから、秘匿性条件式を満足する「ユーザIDとパスワードを入力してください。」という文字列が検出される。ＷＥＢページ閲覧プログラムは、図４のＷＥＢページ・データが、秘匿性を有するものであると判断する。秘匿性を有すると判断したＷＥＢページ閲覧プログラムは、携帯電話機の液晶画面の視野角を狭くすることを指示する視野角狭小化指令を発行するステップを実行する。また、ＷＥＢページ閲覧プログラムは、ＷＥＢページ・データを液晶画面に表示することを指示するＷＥＢページ・データ表示指令を発行するステップを実行する。これら指令に応答して、秘匿性を有するものであると判断されたＷＥＢページ・データを液晶画面に表示している間、液晶画面の視野角を自動的に調整する機能が働き、携帯電話機の液晶画面の視野角は狭められる。これにより、図４の秘匿性条件式を満足するｈｔｍｌファイルが狭い視野角で所定の形式で表示される。
【００２５】
秘匿性キーワードを用いたキーワード検索と、秘匿性検索条件式を用いたキーワード検索とは、併用することが可能である。
【００２６】
［実施例６］ＷＥＢサーバが配信するｈｔｍｌファイルには、秘匿性タグ４０を埋め込むことができる。図５は、ＷＥＢページ・データの他の例を示す図である。図５の例では、図４のｈｔｍｌファイルに、秘匿性タグ４０が埋め込まれている。図５における秘匿性タグ４０は、”<>”で囲まれ、”confidential”の文字列を含んでいる。当実施例では、図５のＷＥＢページ・データが、ＷＥＢサーバにアップロードされ、携帯電話機からの要求に応じて、ＷＥＢサーバからダウンロードされる。
【００２７】
携帯電話機にインストールされたＷＥＢページ閲覧プログラムには、ダウンロードしたＷＥＢページ・データに、秘匿性タグ４０が存在するか否かを検索するステップが追加される。このステップによって、秘匿性タグ４０が検索されたとき、ＷＥＢページ閲覧プログラムは、ダウンロードしたＷＥＢページ・データに秘匿性が有ると判断することができる。一方、秘匿性タグ４０が検索されなかったとき、ＷＥＢページ閲覧プログラムは、ダウンロードしたＷＥＢページ・データに秘匿性が無いと判断することができる。
【００２８】
ユーザが携帯電話機を操作し、ＵＲＬを指定することによって、ＷＥＢサーバから、図５に示すようなＷＥＢページ・データをダウンロードしたとする。このとき、携帯電話機のＷＥＢページ閲覧プログラムは、図５のＷＥＢページ・データが秘匿性を有するか否かを判断するステップを実行する。この判断において、ＷＥＢページ閲覧プログラムは、”<>”で囲まれた”confidential”の文字列を検索する。そして、秘匿性タグ４０が検索される。ＷＥＢページ閲覧プログラムは、秘匿性タグ４０が検索されたので、図５のＷＥＢページ・データは、秘匿性を有すると判断する。秘匿性を有すると判断されたので、ＷＥＢページ閲覧プログラムは、携帯電話機の液晶画面の視野角を狭くすることを指示する視野角狭小化指令を発行するステップを実行する。また、ＷＥＢページ閲覧プログラムは、ＷＥＢページ・データを液晶画面に表示することを指示するＷＥＢページ・データ表示指令を発行するステップを実行する。これら指令に応答して、秘匿性を有するものであると判断されたＷＥＢページ・データを液晶画面に表示している間、液晶画面の視野角を自動的に調整する機能が働き、携帯電話機の液晶画面の視野角は狭められる。これにより、図５の<confidential>タグを含むｈｔｍｌファイルが狭い視野角で所定の形式で表示される。
【００２９】
一方、ユーザが携帯電話機を操作し、ＵＲＬを指定することによって、ＷＥＢサーバから、図４に示すようなＷＥＢページ・データをダウンロードしたとする。このとき、携帯電話機のＷＥＢページ閲覧プログラムは、図４のＷＥＢページ・データが秘匿性を有するか否かを判断するステップを実行する。この判断において、ＷＥＢページ閲覧プログラムは、”<>”で囲まれた”confidential”の文字列を検索する。図４のＷＥＢページ・データには、秘匿性タグは含まれていない。ＷＥＢページ閲覧プログラムは、秘匿性タグを検索することができないので、図４のＷＥＢページ・データは、秘匿性を有すると判断しない。秘匿性を有すると判断されなかったので、ＷＥＢページ閲覧プログラムは、携帯電話機の液晶画面の視野角を狭くすることを指示する視野角狭小化指令を発行するステップを実行しない。もしくは、携帯電話機の液晶画面の視野角を広くすることを指示する視野角拡大化指令を発行するステップを実行する。また、ＷＥＢページ閲覧プログラムは、ＷＥＢページ・データを液晶画面に表示することを指示するＷＥＢページ・データ表示指令を発行するステップを実行する。これら指令に応答して、秘匿性を有しないものであると判断されたＷＥＢページ・データを液晶画面に表示している間、液晶画面の視野角を自動的に調整する機能が働き、携帯電話機の液晶画面の視野角は広くなる。これにより、携帯電話機の液晶画面の視野角は狭められず、視野角が広い状態で、図４の<confidential>タグを含まないｈｔｍｌファイルが所定の形式で表示される。
【００３０】
なお、秘匿性タグを検索できなかったときは、さらに、実施例４のキーワードを用いた検索、実施例５の検索条件式を用いた検索、又は、両者を併用した検索を行い、秘匿性の有無を判断するようにしてもよい。
【００３１】
［実施例７］秘匿性タグには、秘匿性属性を持たせることができる。図６は、ＷＥＢページ・データのその他の例を示す図である。図６の例では、図５の秘匿性タグ４０に代えて、秘匿性属性を有する秘匿性タグ４１が埋め込まれている。図６における秘匿性タグ４１は、”<>”で囲まれ、秘匿性属性を表す”confidentiality”の文字列を含んでいる。当実施例では、図６のＷＥＢページ・データが、ＷＥＢサーバにアップロードされ、携帯電話機からの要求に応じて、ＷＥＢサーバからダウンロードされる。
【００３２】
携帯電話機にインストールされたＷＥＢページ閲覧プログラムには、ダウンロードしたＷＥＢページ・データに、秘匿性タグが存在するか否かを検索するステップと、秘匿性タグが検索された場合に、秘匿性属性を参照するステップと、秘匿性属性の値が真であるか否かを確認するステップとが追加される。これらのステップによって、秘匿性属性の値が真であることを確認したときに、ＷＥＢページ閲覧プログラムは、ダウンロードしたＷＥＢページ・データに秘匿性が有ると判断することができる。一方、秘匿性タグが検索されなかったときや、秘匿性属性の値が真でないことを確認したときには、ＷＥＢページ閲覧プログラムは、ダウンロードしたＷＥＢページ・データに秘匿性が無いと判断することができる。
【００３３】
ユーザが携帯電話機を操作し、ＵＲＬを指定することによって、ＷＥＢサーバから、図６に示すようなＷＥＢページ・データをダウンロードしたとする。このとき、携帯電話機のＷＥＢページ閲覧プログラムは、図６のＷＥＢページ・データが秘匿性を有するか否かを判断するステップを実行する。この判断において、ＷＥＢページ閲覧プログラムは、”<>”で囲まれたタグに、”confidentiality”の文字列を含むものがないかどうかを検索する。ここでは、秘匿性タグ４１がヒットする。ＷＥＢページ閲覧プログラムは、秘匿性タグ４１が検索されたので、秘匿性属性である”confidentiality”の値を参照し、”ｔｒｕｅ”を取得する。”ｔｒｕｅ”という真の値が取得されたので、図６のＷＥＢページ・データは、秘匿性を有すると判断する。秘匿性を有すると判断されたので、ＷＥＢページ閲覧プログラムは、携帯電話機の液晶画面の視野角を狭くすることを指示する視野角狭小化指令を発行するステップを実行する。また、ＷＥＢページ閲覧プログラムは、ＷＥＢページ・データを液晶画面に表示することを指示するＷＥＢページ・データ表示指令を発行するステップを実行する。これら指令に応答して、秘匿性属性が真であると判断されたＷＥＢページ・データを液晶画面に表示している間、液晶画面の視野角を自動的に調整する機能が働き、携帯電話機の液晶画面の視野角は狭められる。これにより、図６のconfidentiality=trueを含むｈｔｍｌファイルが狭い視野角で所定の形式で表示される。このとき、秘匿性が有すると判断された場合に、ＷＥＢページ・データに液晶画面の視野角を狭くしている旨の記載を付加し、ＷＥＢページ・データ表示指令を発行してもよい。
【００３４】
一方、図６の秘匿性タグ４１における秘匿性属性の値を偽とする場合には、秘匿性タグに、”confidentiality=false”の文字列を記述することができる。携帯電話機が、このような秘匿性属性の値を偽とする秘匿性タグが埋め込まれたＷＥＢページ・データをダウンロードしたとする。このとき、ＷＥＢページ閲覧プログラムは、秘匿性タグを検索し、秘匿性属性である”confidentiality”の値を参照し、”ｆａｌｓｅ”を取得する。”ｆａｌｓｅ”という偽の値が取得されたので、ＷＥＢページ・データは、秘匿性を有しないと判断する。秘匿性を有しないと判断されたので、ＷＥＢページ閲覧プログラムは、携帯電話機の液晶画面の視野角を狭くすることを指示する視野角狭小化指令を発行するステップを実行しない。もしくは、携帯電話機の液晶画面の視野角を広くすることを指示する視野角拡大化指令を発行するステップを実行する。また、ＷＥＢページ閲覧プログラムは、ＷＥＢページ・データを液晶画面に表示することを指示するＷＥＢページ・データ表示指令を発行するステップを実行する。これら指令に応答して、秘匿性を有しないものであると判断されたＷＥＢページ・データを液晶画面に表示している間、液晶画面の視野角を自動的に調整する機能が働き、携帯電話機の液晶画面の視野角は広くなる。これにより、携帯電話機の液晶画面の視野角は狭められず、視野角が広い状態で、confidentiality=falseを含むｈｔｍｌファイルが所定の形式で表示される。このとき、秘匿性を有しないと判断された場合に、ＷＥＢページ・データに液晶画面の視野角を狭くしていいない旨の記載を付加し、ＷＥＢページ・データ表示指令を発行してもよい。
【００３５】
［実施例８］インターネットには多数のＷＥＢサーバが設置され、それぞれのＷＥＢサーバには、さまざまなＷＥＢページ・データがアップロードされる。ここでは、一部のＷＥＢページ・データには、図６で示したような秘匿性タグが埋め込まれ、他のＷＥＢページ・データには、図６で示したような秘匿性タグが埋め込まれていない場合の実施例について説明する。
【００３６】
実施例４で説明したように、予め、秘匿性キーワードを携帯電話機のキーワード格納部に格納する。また、実施例５で説明したように、予め、秘匿性検索条件式を携帯電話機の条件式格納部に格納する。さらに、実施例７で説明したような秘匿性タグを埋め込んだｈｔｍｌファイルを作成し、秘匿性タグを埋め込んでいない既存のｈｔｍｌファイルを蓄積するＷＥＢサーバへ、秘匿性タグを埋め込んだｈｔｍｌファイルを追加してアップロードする。この秘匿性タグは、秘匿性属性を有し、秘匿性属性には真又は偽の値を与えるとする。携帯電話機は、ＷＥＢサーバへアクセスして、秘匿性タグを埋め込んでいない既存のｈｔｍｌファイルをダウンロードすることができ、また、秘匿性タグを埋め込んだ新しいＷＥＢページ・データをダウンロードすることができる。
【００３７】
図７は、実施例７に、実施例４や実施例５を組み合わせたＷＥＢページ・データの表示方法を説明する流れ図である。図７において、ユーザが携帯電話機を操作し、ＵＲＬを指定すると、ＷＥＢサーバから、ＷＥＢページ・データがダウンロードされる（Ｓ２０）。このとき、携帯電話機のＷＥＢページ閲覧プログラムは、ＷＥＢページ・データが秘匿性を有するか否かを判断するステップを実行する。この判断において、ＷＥＢページ閲覧プログラムは、”<>”で囲まれたタグに、”confidentiality”の文字列を含むものがないかどうかを検索する（Ｓ２１）。秘匿性タグが検索された場合（Ｓ２２：ある）、ＷＥＢページ閲覧プログラムは、秘匿性属性である”confidentiality”の値を参照する。
【００３８】
真の値が取得されたとき（Ｓ２３：真）、ＷＥＢページ閲覧プログラムは、携帯電話機の液晶画面の視野角を狭くすることを指示する視野角狭小化指令を発行するステップを実行する。この指令に応答して、携帯電話機は、液晶画面の視野角を狭める（Ｓ２４）。また、ＷＥＢページ閲覧プログラムは、ＷＥＢページ・データを液晶画面に表示することを指示するＷＥＢページ・データ表示指令を発行するステップを実行する。これにより、ＷＥＢページ・データは、狭い視野角で液晶画面に表示される。一方、偽の値が取得されたとき（Ｓ２３：偽）、ＷＥＢページ閲覧プログラムは、携帯電話機の液晶画面の視野角を狭くすることを指示する視野角狭小化指令を発行するステップを実行しない。もしくは、携帯電話機の液晶画面の視野角を広くすることを指示する視野角拡大化指令を発行するステップを実行する。携帯電話機は、液晶画面の視野角を広くする（Ｓ２５）。また、ＷＥＢページ閲覧プログラムは、ＷＥＢページ・データを液晶画面に表示することを指示するＷＥＢページ・データ表示指令を発行するステップを実行する。これにより、ＷＥＢページ・データは、広い視野角で液晶画面に表示される。
【００３９】
一方、秘匿性タグが検索されなかった場合（Ｓ２２：ない）、ＷＥＢページ閲覧プログラムは、キーワード検索を実行する（Ｓ２６）。キーワード検索は、実施例４で説明したように、キーワードを用いて実行することができ、また、実施例５で説明したように、検索条件式を用いて実行することができる。或いは、双方を併用しても良い。このキーワード検索がヒットした場合（Ｓ２７：イエス）、ＷＥＢページ閲覧プログラムは、携帯電話機の液晶画面の視野角を狭くすることを指示する視野角狭小化指令を発行するステップを実行する。この指令に応答して、携帯電話機は、液晶画面の視野角を狭める（Ｓ２８）。また、ＷＥＢページ閲覧プログラムは、ＷＥＢページ・データを液晶画面に表示することを指示するＷＥＢページ・データ表示指令を発行するステップを実行する。これにより、ＷＥＢページ・データは、狭い視野角で液晶画面に表示される。一方、キーワード検索がヒットしなかった場合（Ｓ２７：ノー）、ＷＥＢページ閲覧プログラムは、携帯電話機の液晶画面の視野角を狭くすることを指示する視野角狭小化指令を発行するステップを実行しない。もしくは、携帯電話機の液晶画面の視野角を広くすることを指示する視野角拡大化指令を発行するステップを実行する。携帯電話機は、液晶画面の視野角を広くする（Ｓ２９）。また、ＷＥＢページ閲覧プログラムは、ＷＥＢページ・データを液晶画面に表示することを指示するＷＥＢページ・データ表示指令を発行するステップを実行する。これにより、ＷＥＢページ・データは、広い視野角で液晶画面に表示される。
【００４０】
図５のように秘匿性タグの有無によって秘匿性の有無を判断するようにすると、ＷＥＢページ・データに秘匿性タグが検索されなかった場合に不都合を生じる。すなわち、秘匿性タグが検索されなかった場合、ＷＥＢページ閲覧プログラムは、そのＷＥＢページ・データが秘匿性を考慮せずに作成されたのか、秘匿性を考慮して作成されたものの秘匿性が無かったのか、判断し難いことになる。例えば、秘匿性タグが検索されたＷＥＢページ・データの次のＷＥＢページ・データで、秘匿性タグが検索されなかった際に、継続して視野角を狭くするのか、または視野角を広くするのか不明確になる。図６のように、秘匿性属性に、”ｆａｌｓｅ”という値を与えることによって、秘匿性が無いことを明示すれば、このような問題は生じず、視野角を広くすることができる。また、１つのｈｔｍｌファイルの中の複数のＷＥＢページ・データ毎に秘匿性属性を付加することができ、秘匿性属性が真であるＷＥＢページ・データの表示中のみ液晶画面の視野角を狭くすることができる。この場合、秘匿性属性が真であるＷＥＢページ・データと秘匿性属性が偽であるＷＥＢページ・データが同時に液晶画面に表示される場合は秘匿性属性が真を優先する。
【００４１】
ＷＥＢページ・データが液晶画面に表示されている全期間中、視野角が調節されていることが好ましいが、ＷＥＢページ・データ表示指令が発行された後に、視野角狭小化指令または視野角拡大化指令が発行され、ＷＥＢページ・データが液晶画面に表示されてから、視野角が調節されてもよい。もちろん、ＷＥＢページ・データ表示指令が発行される前に、視野角狭小化指令または視野角拡大化指令が発行され、視野角が調節されてから、ＷＥＢページ・データが液晶画面に表示されてもよい。
【００４２】
以上、ＷＥＢクライアントとなる端末装置の例として携帯電話機を挙げて種々の実施例を説明した。これらの実施例は、携帯電話機の他、ノート型パソコン、電子手帳、ＰＤＡ（Personal Digital Assistant）にも応用することが可能である。さらに、インターネット・カフェなどのオープン・スペースに並べられるデスクトップ型パソコンにも応用することが可能である。
【００４３】
［実施例の効果］上記実施例によれば、携帯電話機のブラウザ機能を使用してブラウジング中に表示されるユーザＩＤ入力画面、パスワード入力画面、ＷＥＢメール画面、パーソナライズ画面などに含まれる個人情報を保護することができる。これらの画面が表示される際、ｈｔｍｌファイル内に埋め込まれている秘匿性タグや秘匿性キーワードを携帯電話機が自動的に識別し、かつ、自動的に液晶画面の視野角を変更することができるので、従来のようにユーザーが液晶画面にフィルターを貼り、視野角を手動で調整する必要がなく、極めて簡単に液晶画面の視野角を変更することが可能となる。
【図面の簡単な説明】
【００４４】
【図１】図１は、本発明によるＷＥＢページ表示方法の実施例を示す図である。
【図２】図２は、本発明による端末装置の実施例を示す図である。
【図３】図３は、本発明によるネットワーク・システムの実施例を示す図である。
【図４】図４は、ＷＥＢページ・データの一例を示す図である。
【図５】図５は、ＷＥＢページ・データの他の例を示す図である。
【図６】図６は、ＷＥＢページ・データのその他の例を示す図である。
【図７】図７は、ＷＥＢページ・データの表示方法を説明する流れ図である。
【符号の説明】
【００４５】
１０  端末装置
１１，３４  液晶表示部
１２，３５  視野角制御部
１３，３１  操作部
１４，３３  データ処理部
１５，３２  送受信部
１６，３６  判断部
１７，３７  視野角狭小化指令発行部
２０  ＷＥＢサーバ
２１  ＷＥＢページ・データ
２２，４０，４１  秘匿性タグ
３０  ＷＥＢクライアント
３８  タグ検索部
【図１】
2009020301.tif 000003
【図２】
2009020301.tif 000004
【図３】
2009020301.tif 000005
【図４】
2009020301.tif 000006
【図５】
2009020301.tif 000007
【図６】
2009020301.tif 000008
【図７】
2009020301.tif 000009